(57)【要約】【課題】  カラー印刷機構を備える画像形成装置において、ＲＧＢデータあるいはＣＭＹＫデータに変換した結果がモノクロであった場合にも、モアレの発生を抑制し、ユーザの意図する印刷結果が得られるようにする。【解決手段】  入力されたＲＧＢ印刷データがテキストデータかイメージデータかを判別し、イメージデータは画像処理部６００によりカラービットマップデータ変換して画像形成部１００においてカラー印刷し、また、テキストデータは画像処理部６００によりモノクロビットマップデータ変換して画像形成部１００においてモノクロ印刷する制御を制御部２０により行う。【選択図】        図１
2007184725.tif 000002
【特許請求の範囲】
【請求項１】
カラー印刷機構を備える画像形成装置において、
入力されたＲＧＢ印刷データがテキストデータかイメージデータかを判別する印刷データ判別手段と、
前記印刷データ判別手段により判別されたテキストデータをモノクロ印刷し、イメージデータをカラー印刷する制御を行う制御手段を備えることを特徴とする画像形成装置。
【発明の詳細な説明】
【技術分野】
【０００１】
本発明は、プリンタや複写機、ファクシミリ装置あるいは複合機等の画像形成装置に関し、特に、カラー印刷機構を備える画像形成装置に関する。
【背景技術】
【０００２】
プリンタや複写機、ファクシミリ装置あるいは複合機等の画像形成装置では、カラー印刷機構を備える場合、入力された印刷データを画像処理部で多値のＲＧＢデータあるいはＣＭＹＫデータに変換して画像形成部でカラー印刷するようにしている。
【０００３】
従来、カラー印刷機構を備える画像形成装置では、入力された印刷データがカラーデータであった場合、ＲＧＢ（Ｒ：赤，Ｇ：緑，Ｂ：青）データあるいはＣＭＹＫ（Ｃ：シアン，Ｍ：マゼンタ，Ｙ：イエロー，Ｋ：黒）データに変換した結果がモノクロであったとしても、カラーデータとしてカラー処理を行い、カラー印刷を行っていた。
【０００４】
上記のような制御を行った場合、ＲＧＢデータあるいはＣＭＹＫデータに変換した結果がモノクロであった場合にも、カラーデータとしてカラー処理を行い、カラー印刷を行う従来の画像形成装置では、カラーデータには画像処理部におけるカラー処理によりカラースクリーンが掛かるので、上記変換した結果がモノクロであった場合に、細い線のグラフィックプリミティブがカラースクリーンの印字されない領域に重なり、何も印字されないことにより、ユーザの意図する印刷結果得られないことがある。
【０００５】
特に、ＲＧＢデータあるいはＣＭＹＫデータに変換した結果がモノクロの文字データや罫線データ等のテキストデータの場合には、例えば「＋」の文字データの縦線部分が一部印字されなくなって「÷」のように印字され、文字が正しく認識できない、表の罫線が不鮮明になる、等の問題が発生する場合がある。
【０００６】
上記問題を解決するために、特許文献１においては、カラー原稿から黒文字領域、色文字領域、絵柄領域を分離し、黒文字領域に対して黒文字用の処理を行い、色文字領域に対しては、判定された文字の色で再生処理し、絵柄領域に対しては３色あるいは４色で絵柄処理するカラー画像処理装置が記載されている。
【０００７】
【特許文献１】特開平５−４８８９２号公報
【発明の開示】
【発明が解決しようとする課題】
【０００８】
しかしながら、特許文献１に記載されたカラー画像処理装置の制御方法においては、例えば濃紺や深緑の文字は色文字と判定されるために、カラー処理されてカラー印刷されてしまい、結果として前述と同様の問題は解決されないままであり、罫線に関しても絵柄領域として判断されるため、前述の問題は解決されない。
【０００９】
また、印刷データを黒文字領域、色文字領域、絵柄領域に分離して別々の処理を施すといった複雑な制御を行う必要がある。
【００１０】
そこで、本発明の目的は、上述の如き従来の問題点に鑑み、カラー印刷機構を備える画像形成装置において、文字や罫線等のテキストデータをモノクロデータとしてモノクロ処理を行うことにより、簡単な制御によりユーザの意図する印刷結果が得られるようにすることにある。
【００１１】
本発明の更に他の目的、本発明によって得られる具体的な利点は、以下に説明される実施の形態の説明から一層明らかにされる。
【課題を解決するための手段】
【００１２】
すなわち、本発明は、カラー印刷機構を備える画像形成装置において、入力されたＲＧＢ印刷データがテキストデータかイメージデータかを判別する印刷データ判別手段と、前記印刷データ判別手段により判別されたテキストデータをモノクロ印刷し、イメージデータをカラー印刷する制御を行う制御手段を備えることを特徴とする。
【発明の効果】
【００１３】
本発明によれば、文字や罫線等のテキストデータをモノクロデータとしてモノクロ処理を行うので、カラー処理によるカラースクリーンが掛かることがなく、簡単な制御によりユーザの意図する印刷結果が得られる。
【発明を実施するための最良の形態】
【００１４】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１５】
本発明は、例えば図１に外観図を示すような構成の画像形成装置１に適用される。
【００１６】
この画像形成装置１は、画像形成部１００を備えた本体部１０、本体部１０の上方に設置された原稿読取部２００、本体部１０の下部に設置された給紙部３００、本体部１０のフロント部に設置された操作表示部４００などを備える複写機である。
【００１７】
上記画像形成装置１は、そのハードウエア構成を図２のブロック図に示すように、装置全体の動作制御を司るＣＰＵを中心とする制御部２０を備え、この制御部２０に画像形成部１００、原稿読取部２００、給紙部３００、操作表示部４００、画像記憶部５００、画像処理部６００、ネットワークＩ／Ｆ部７００等が接続されている。
【００１８】
制御部２０は、図３に示すように、画像形成装置１の制御プログラムを記憶するＲＯＭ(Read Only Memory)２１、一時的にデータを保管するＲＡＭ(Random Access Memory)２２、更新可能な各種設定データなどを保管するＥＥＰＲＯＭ（Electrically Erasable Programmable ROM）２３及び制御プログラム等を上記ＲＯＭ２１から読み出して実行するマイクロコンピュータ２４等からなり、操作表示部４００等において入力された所定の指示情報や、本装置の各所に設けられた各種センサからの検出信号に応じて装置全体の制御を行う。
【００１９】
画像形成部１００は、給紙部３００によって搬送されてきた用紙に対して所定の画像形成（印刷）を行うものであって、図示しないプリンタコントローラ、レーザ走査ユニットや定着ローラ等からなる。
【００２０】
原稿読取部２００は、原稿の読み取りを行って当該原稿に対応する画像データを生成するものであって、光学的に取得した原稿の画像から画像データを生成するＣＣＤ(Charge Coupled Device)センサ及び露光ランプ等を備えたスキャナやコンタクトガラス等からなり、コンタクトガラス上に載置された原稿を走査しつつ取得した画像データを制御部２０へ出力する。
【００２１】
給紙部３００は、画像形成部１００に対して用紙の給紙を行うものである。
【００２２】
操作表示部４００は、ユーザの操作に応じて所定の指示入力を行うものであって、図示しない、ユーザが印刷実行指示を入力するためのスタートキーと、印刷部数等を入力するためのテンキーと、各種複写動作の設定等を入力するための操作ガイド情報等を表示する種々の操作ボタン等が表示される液晶表示器（ＬＣＤ）を備えている。
【００２３】
画像記憶部５００は、原稿読取部２００によって読み取られた原稿の画像データや図示しない略のネットワークＩ／Ｆ部７００等を介して外部装置から送信されてきた画像データを一時的に記憶するメモリである。
【００２４】
画像処理部６００は、印刷データに対する各種画像処理を行うものであって、例えば、印刷データをＲＧＢデータあるいはＣＭＹＫデータに変換する処理や複数の原稿画像を１つの用紙に集約させる画像処理、すなわち、原稿画像の画像サイズを拡大又は縮小する拡大縮小処理や、複数の原稿画像を１つの用紙に配置するレイアウト処理などを行う。
【００２５】
この画像形成装置１において、制御部２０は、図４のフローチャートに示す手順に従って印刷処理を制御する。
【００２６】
すなわち、制御部２０は、原稿読取部２００によって読み取られた原稿の画像データやネットワークＩ／Ｆ部７００等を介して外部装置から送信されてきた画像データを受信すると、受信した画像データを印刷データとして画像記憶部５００に一時的に記憶するとともに（ステップＳ１）、上記操作表示部４００による設定あるいはネットワークＩ／Ｆ部７００等を介して外部装置からの設定によりカラー印刷モードが指定されているか否かを判定する（ステップＳ２）。
【００２７】
上記ステップＳ２における判定結果がＹＥＳすなわちカラー印刷モードが指定されている場合には、上記画像記憶部５００に記憶した印刷データをテキストデータとイメージデータに分離し（ステップＳ３）、イメージデータに対しては上記画像処理部６００によりＣＭＹＫデータに変換してカラービットマップデータを生成するカラーデータ処理を行い（ステップＳ４）、生成したカラービットマップデータを用いて画像形成部１００によりカラー印刷による画像出力を行い（ステップＳ６）、また、テキストデータは上記画像処理部６００によりＣ＝０，Ｍ＝０，Ｙ＝０，Ｋ＝１のモノクロビットマップデータを生成するモノクロデータ処理を行って（ステップＳ５）、生成したモノクロビットマップデータを用いて画像形成部１００によりモノクロ印刷による画像出力を行う（ステップＳ６）。
【００２８】
また、上記ステップＳ２における判定結果がＮＯすなわちカラー印刷モードが指定されていない場合には、モノクロデータ処理を行って（ステップＳ５）、画像形成部１００によりモノクロ印刷による画像出力を行う（ステップＳ７）。
【００２９】
さらに、データエンドであるか否かを判定し（ステップＳ８）、その判定結果がＮＯすなわちデータエンドでない場合には、上記ステップＳ１に戻って新たなデータ入力を受け付け、上記ステップＳ１からステップＳ８の処理を繰り返し行い、また、上記ステップＳ８の判定結果がＹＥＳすなわちデータエンドである場合には、印刷処理を終了する。
【図面の簡単な説明】
【００３０】
【図１】本発明を適用した画像形成装置の外観図である。
【図２】上記画像形成装置のハードウエア構成を示すブロック図である。
【図３】上記画像形成装置における制御部の概略構成を示すブロック図である。
【図４】上記画像形成装置における制御部による印刷処理の制御手順を示すフローチャートである。
【符号の説明】
【００３１】
１  画像形成装置、
１０  本体部、
２０  制御部、
２１  ＲＯＭ、
２２  ＲＡＭ、
２３  ＥＰＲＯＭ、
２４  マイクロコンピュータ、
１００  画像形成部、
２００  原稿読取部、
３００  給紙部、
４００  操作表示部、
５００  画像記憶部、
６００  画像処理部
【図１】
2007184725.tif 000003
【図２】
2007184725.tif 000004
【図３】
2007184725.tif 000005
【図４】
2007184725.tif 000006